【手続補正書】
【提出日】平成23年2月25日(2011.2.25)
【手続補正１】
【補正対象書類名】特許請求の範囲
【補正対象項目名】全文
【補正方法】変更
【補正の内容】
【特許請求の範囲】
【請求項１】
透明基板と、該透明基板上に形成された透明電極と、該透明電極上に形成された有機化合物からなる発光層と、該発光層上に形成された電極とを有する有機ＥＬ素子において、
前記透明基板の表面に、凹凸のピッチが０．７μｍ〜３０μｍでランダムな値をとり、凹凸の高さが０．７μｍ〜２０μｍでランダムな値をとる複数の凹凸構造が設けられたことを特徴とする有機ＥＬ素子。
【請求項２】
前記複数の凹凸構造が、非平面スペックル構造を含むことを特徴とする請求項１記載の有機ＥＬ素子。
【請求項３】
透明基板が、平板ガラス又は樹脂平板と、該平板ガラス又は樹脂平板上に設けられた表面層とを含み、
前記表面層に、前記複数の凹凸構造が設けられたことを特徴とする請求項１又は請求項２記載の有機ＥＬ素子。
【請求項４】
透明基板が、平板ガラス又は樹脂平板と、該平板ガラス又は樹脂平板上に設けられた透明樹脂フィルムとを含み、
前記透明樹脂フィルムに、前記複数の凹凸構造が設けられたことを特徴とする請求項１又は請求項２記載の有機ＥＬ素子。
【請求項５】
前記透明基板は、前記発光層の光を入射する入光面と、前記光を出射する出光面とを有し、その拡散角度が下記式（１）を満たすために十分な形状を有することを特徴とする請求項１から請求項４のいずれかに記載の有機ＥＬ素子。
０．０１５≦πｔａｎ（α／２）ｔａｎ（β／２）≦３５・・・・（１）
α：基板の最小拡散角、０°＜α＜１８０°
β：最小拡散角αを与える測定方向に略直交する測定方向での拡散角、０°＜β＜１８０°
【請求項６】
前記透明基板は、前記発光層の光を入射する入光面と、前記光を出射する出光面とを有し、その拡散角度が下記式（２）を満たすために十分な形状を有することを特徴とする請求項１から請求項４のいずれかに記載の有機ＥＬ素子。
０．０１５≦４ｔａｎ（α／２）ｔａｎ（β／２）≦３５・・・・（２）
α：基板の最小拡散角、０°＜α＜１８０°
β：最小拡散角αを与える測定方向に略直交する測定方向での拡散角、０°＜β＜１８０°
【請求項７】
有機ＥＬ素子の出光最表面に積層される透明樹脂フィルムであって、
該透明樹脂フィルムの表面に、凹凸のピッチが０．７μｍ〜３０μｍでランダムな値をとり、凹凸の高さが０．７μｍ〜２０μｍでランダムな値をとる複数の凹凸構造が設けられたことを特徴とする透明樹脂フィルム。
【請求項８】
前記複数の凹凸構造が非平面スペックル構造を含むことを特徴とする請求項７記載の透明樹脂フィルム。
【請求項９】
光を入射する入光面と、光を出射する出光面とを有し、その拡散角度が下記式（３）を満たすために十分な形状を有することを特徴とする請求項７又は請求項８記載の透明樹脂フィルム。
０．０１５≦πｔａｎ（α／２）ｔａｎ（β／２）≦３５・・・・（３）
α：透明樹脂フィルムの最小拡散角、０°＜α＜１８０°
β：最小拡散角αを与える測定方向に略直交する測定方向での拡散角、０°＜β＜１８０°
【請求項１０】
光を入射する入光面と、光を出射する出光面とを有し、その拡散角度が下記式（４）を満たすために十分な形状を有することを特徴とする請求項７又は請求項８記載の透明樹脂フィルム。
０．０１５≦４ｔａｎ（α／２）ｔａｎ（β／２）≦３５・・・・（４）
α：透明樹脂フィルムの最小拡散角、０°＜α＜１８０°
β：最小拡散角αを与える測定方向に略直交する測定方向での拡散角、０°＜β＜１８０°
【手続補正２】
【補正対象書類名】明細書
【補正対象項目名】０００６
【補正方法】変更
【補正の内容】
【０００６】
本発明の有機ＥＬ素子は、透明基板と、該透明基板上に形成された透明電極と、該透明電極上に形成された有機化合物からなる発光層と、該発光層上に形成された電極とを有する有機ＥＬ素子において、前記透明基板の表面に、凹凸のピッチが０．７μｍ〜３０μｍでランダムな値をとり、凹凸の高さが０．７μｍ〜２０μｍでランダムな値をとる複数の凹凸構造が設けられたことを特徴とする。
【手続補正３】
【補正対象書類名】明細書
【補正対象項目名】０００７
【補正方法】変更
【補正の内容】
【０００７】
本発明の有機ＥＬ素子基板においては、前記複数の凹凸構造が、非平面スペックル構造を含むことが好ましい。
【手続補正４】
【補正対象書類名】明細書
【補正対象項目名】０００８
【補正方法】変更
【補正の内容】
【０００８】
本発明の有機ＥＬ素子においては、透明基板が、平板ガラス又は樹脂平板と、該平板ガラス又は樹脂平板上に設けられた表面層とを含み、前記表面層に、前記複数の凹凸構造が設けられることが好ましい。
本発明の有機ＥＬ素子においては、透明基板が、平板ガラス又は樹脂平板と、該平板ガラス又は樹脂平板上に設けられた透明樹脂フィルムとを含み、前記透明樹脂フィルムに、前記複数の凹凸構造が設けられることが好ましい。
本発明の有機ＥＬ素子においては、前記透明基板は、前記発光層の光を入射する入光面と、前記光を出射する出光面とを有し、その拡散角度が下記式（１）を満たすために十分な形状を有することが好ましい。
０．０１５≦πｔａｎ（α／２）ｔａｎ（β／２）≦３５・・・・（１）
α：基板の最小拡散角、０°＜α＜１８０°
β：最小拡散角αを与える測定方向に略直交する測定方向での拡散角、０°＜β＜１８０°
本発明の有機ＥＬ素子においては、前記透明基板は、前記発光層の光を入射する入光面と、前記光を出射する出光面とを有し、その拡散角度が下記式（２）を満たすために十分な形状を有することが好ましい。
０．０１５≦４ｔａｎ（α／２）ｔａｎ（β／２）≦３５・・・・（２）
α：基板の最小拡散角、０°＜α＜１８０°
β：最小拡散角αを与える測定方向に略直交する測定方向での拡散角、０°＜β＜１８０°
【手続補正５】
【補正対象書類名】明細書
【補正対象項目名】０００９
【補正方法】変更
【補正の内容】
【０００９】
本発明の透明樹脂フィルムは、有機ＥＬ素子の出光最表面に積層される透明樹脂フィルムであって、該透明樹脂フィルムの表面に、凹凸のピッチが０．７μｍ〜３０μｍでランダムな値をとり、凹凸の高さが０．７μｍ〜２０μｍでランダムな値をとる複数の凹凸構造が設けられたことを特徴とする。
本発明の透明樹脂フィルムにおいては、前記複数の凹凸構造が非平面スペックル構造を含むことが好ましい。
【手続補正６】
【補正対象書類名】明細書
【補正対象項目名】００１０
【補正方法】変更
【補正の内容】
【００１０】
本発明の透明樹脂フィルムにおいては、光を入射する入光面と、光を出射する出光面とを有し、その拡散角度が下記式（３）を満たすために十分な形状を有することが好ましい。
０．０１５≦πｔａｎ（α／２）ｔａｎ（β／２）≦３５・・・・（３）
α：透明樹脂フィルムの最小拡散角、０°＜α＜１８０°
β：最小拡散角αを与える測定方向に略直交する測定方向での拡散角、０°＜β＜１８０°
【手続補正７】
【補正対象書類名】明細書
【補正対象項目名】００１１
【補正方法】変更
【補正の内容】
【００１１】
本発明の透明樹脂フィルムにおいては、光を入射する入光面と、光を出射する出光面とを有し、その拡散角度が下記式（４）を満たすために十分な形状を有することが好ましい。
０．０１５≦４ｔａｎ（α／２）ｔａｎ（β／２）≦３５・・・・（４）
α：透明樹脂フィルムの最小拡散角、０°＜α＜１８０°
β：最小拡散角αを与える測定方向に略直交する測定方向での拡散角、０°＜β＜１８０°
【手続補正８】
【補正対象書類名】明細書
【補正対象項目名】００１２
【補正方法】変更
【補正の内容】
【００１２】
本発明の有機ＥＬ素子は、透明基板と、該透明基板上に形成された透明電極と、該透明電極上に形成された有機化合物からなる発光層と、該発光層上に形成された電極とを有する有機ＥＬ素子において、前記透明基板の表面に、凹凸のピッチが０．７μｍ〜３０μｍでランダムな値をとり、凹凸の高さが０．７μｍ〜２０μｍでランダムな値をとる複数の凹凸構造が設けられたので、有機ＥＬ素子の光取り出し効率が向上し、素子の長寿命化も達成することができる。
【手続補正９】
【補正対象書類名】明細書
【補正対象項目名】００２２
【補正方法】変更
【補正の内容】
【００２２】
本発明の場合は、上記略矩形面積が下記式（６）の範囲内にあるものが使用できる（但し０＜α≦β＜１８０）。
０．０１５≦４ｔａｎ（α／２）ｔａｎ（β／２）≦３５・・・・（６）
なお、αとβの差が大きく、光像が殆ど線状になる場合も、本発明の範疇に属する。
光像が円、楕円、略矩形のいずれの場合でも、拡散と集光機能との関係や輝度を考慮して、望ましい範囲を規定している。好ましい範囲は０．０１５以上２０以下、さらに好ましい範囲は０．０１５以上１０以下、より好ましくは０．０１以上４以下、それより好ましいのは０．０１５以上１．１以下である。